(57)【特許請求の範囲】
【請求項１】
電動機と、
前記電動機の軸を共有し、前記電動機により駆動されるスクリューロータと、
前記電動機及び前記スクリューロータを収納するケーシングと、
を備え、
前記ケーシングは、
前記電動機の外周のうち前記軸を含む特定の仮想平面に対して一方側の部分に沿って設けられ、ガスを前記電動機に対して前記スクリューロータの反対側から前記スクリューロータ側へ通すガス通路と、
前記ケーシングの内壁面のうち前記仮想平面に対して前記一方側で且つ前記ガス通路の下流側で且つ前記電動機に面する位置に設けられ、前記内壁面から突出する突出部と、
前記ケーシング内で且つ前記仮想平面に対して前記一方側で且つ前記突出部の下流に設けられ、前記電動機を経たガスを前記スクリューロータへ導く吸入ポートと、を含み、
前記突出部の終端は、前記軸方向において前記電動機の下流側の巻線部の終端より上流側に位置する、
スクリュー圧縮機。
【請求項２】
前記ケーシングは、前記電動機の外周のうち前記仮想平面に対して前記一方側の反対側の部分に沿って設けられ、ガスを前記電動機に対し前記スクリューロータの反対側から前記スクリューロータ側へ通す反対側ガス通路を含む、
請求項１に記載のスクリュー圧縮機。
【請求項３】
前記電動機は、
前記外周を形成する外壁部と、
前記外壁部から前記軸のスクリューロータ方向へ突出するコイルエンドと、
を含み、
前記突出部は、前記軸方向において前記コイルエンドの下流端より上流側に位置する、
請求項２に記載のスクリュー圧縮機。
【請求項４】
前記電動機の円周方向において、前記突出部の位置の範囲は、前記ガス通路の位置の範囲を含み、前記ガス通路の位置の範囲より広い、
請求項３に記載のスクリュー圧縮機。
【請求項５】
前記突出部と前記コイルエンドの間の最小距離は、前記電動機の径方向における前記ガス通路の距離より小さい、
請求項４に記載のスクリュー圧縮機。
【請求項６】
前記コイルエンドの径は、前記電動機の径より小さい、
請求項５に記載のスクリュー圧縮機。
【請求項７】
前記軸に垂直な方向において、前記反対側ガス通路の断面積は、前記ガス通路の断面積より大きい、
請求項６に記載のスクリュー圧縮機。
【請求項８】
前記ケーシングは、前記電動機の外周のうち前記仮想平面に対して前記一方側の部分に沿って設けられ、ガスを前記電動機に対し前記スクリューロータの反対側から前記スクリューロータ側へ通す第２ガス通路を更に含む、
請求項１に記載のスクリュー圧縮機。
【請求項９】
前記ケーシングは、前記ケーシングの内壁面のうち前記仮想平面に対して前記一方側で且つ前記第２ガス通路の下流側で且つ前記電動機に面する位置に設けられ、前記内壁面から突出する第２突出部を更に含む、
請求項８に記載のスクリュー圧縮機。
【請求項１０】
前記電動機の円周方向において、前記突出部の位置の範囲は、前記ガス通路の位置から前記第２ガス通路の位置までの範囲を含み、前記ガス通路の位置から前記第２ガス通路の位置までの範囲より広い、
請求項８に記載のスクリュー圧縮機。
【請求項１１】
前記ケーシング内で前記スクリューロータに平行に設けられた第２スクリューロータを更に備え、
前記仮想平面は、前記軸と前記第２スクリューロータの軸とを含む、
請求項１乃至１０の何れか一項に記載のスクリュー圧縮機。
【発明の詳細な説明】
【技術分野】
【０００１】
本発明は、スクリュー圧縮機に関する。
【背景技術】
【０００２】
密閉形スクリュー圧縮機は、スクリューロータ、スクリューロータを支持する低圧側軸受及び高圧側軸受、スクリューロータを駆動する電動機、並びに、これらを収納するケーシングにより構成される。電動機は低圧側と高圧側のいずれにも配置可能であるが、低圧側に配置すると低温、低圧の冷媒ガスで発熱した電動機を冷却できるため、低圧側に配置されるケースが多い。
【０００３】
低圧側に配置された電動機は、ケーシング内周面と電動機固定子外周面との間で構成されるガス通路断面積（以下「電動機外周通路断面積」という。）と、電動機固定子内周面と電動機回転子外周面との間で構成されるガス通路断面積（以下「エアギャップ断面積」という。）により構成され、低圧側の冷媒ガスにより電動機を効果的に冷却するには、電動機外周通路断面積とエアギャップ断面積との割合を最適化する必要があるが、実際には電動機コイルエンド周囲のガス通路形状も電動機を冷却する上で重要な役割を果たすことが分かっており、電動機の冷却効率を高める手段として、電動機外周通路断面積を調整して、冷媒ガスのガス流速を増加させる技術（特許文献１および特許文献２参照）やガス衝突部材を電動機コイルエンド直後に設けガスを衝突させることで電動機のコイルエンドの上部から下部へ冷媒ガスを流す技術（特許文献３参照）記載のものなどが知られている。
【先行技術文献】
【特許文献】
【０００４】
【特許文献１】特開昭５８−０３２９９０号公報
【特許文献２】特開平０１−２３７３８９号公報
【特許文献３】特開２０１３−１６７２１１号公報
【発明の概要】
【発明が解決しようとする課題】
【０００５】
吸入冷媒ガスのみで電動機を効果的に冷却するには、構成部材として耐熱温度が低い樹脂材が含まれる電動機巻線部へ均一に低温、低圧の冷媒ガスを直接当てることが望ましいが、巻線部を必要以上に冷却すると、流れの圧力損失の増大や電動機の熱により冷媒ガスを加熱するため、冷媒ガスの比体積が増加し冷凍能力が低下してしまう問題がある。
【０００６】
そのため、使用範囲内において、電動機巻線温度が耐熱温度以下となるように冷媒ガスの流れを調整し、電動機の冷却に必要な冷媒ガスを当てることで、電動機巻線温度と圧力損失の両立を図ることが望ましい。
【０００７】
特許文献１及び特許文献２に記載の技術では、大半の冷媒ガスが抵抗の少ない、つまりガス通路断面積が大きいところに流れるため、電動機の巻線に均一に冷媒ガスを流すことが困難であり、電動機巻線部根元で冷媒ガスの滞留が生じて巻線の局部的な温度上昇の要因となる。
【０００８】
特許文献３に記載の技術では、スクリューロータへの吸入ポートが電動機軸中心より下側にあり、且つ、電動機軸中心より上側に電動機外周通路がある場合、スクリューロータ側の電動機巻線部において、電動機軸中心より下側の巻線部が温度上昇する。
【０００９】
これは、電動機軸中心より下側は衝突部材が無く吸入ポートが開口しているため、外周通路から流出し電動機巻線部外周面に沿って流れる冷媒ガスが、巻線外周面下端まで到達することなく、吸入ポートへ吸い込まれるため、巻線外周下端近傍で冷媒ガスが滞留し効果的な冷却ができない問題がある。
【課題を解決するための手段】
【００１０】
上記課題を解決するために、本発明の一態様であるスクリュー圧縮機は、電動機と、前記電動機の軸を共有し、前記電動機により駆動されるスクリューロータと、前記電動機及び前記スクリューロータを収納するケーシングと、を備える。前記ケーシングは、前記電動機の外周のうち前記軸を含む特定の仮想平面に対して一方側の部分に沿って設けられ、ガスを前記電動機に対して前記スクリューロータの反対側から前記スクリューロータ側へ通すガス通路と、前記ケーシングの内壁面のうち前記仮想平面に対して前記一方側で且つ前記ガス通路の下流側で且つ前記電動機に面する位置に設けられ、前記内壁面から突出する突出部と、前記ケーシング内で且つ前記仮想平面に対して前記一方側で且つ前記突出部の下流に設けられ、前記電動機を経たガスを前記スクリューロータへ導く吸入ポートと、
を含む。
【発明の効果】
【００１１】
巻線の局所的な温度上昇を防ぎ、スクリュー圧縮機の信頼性を向上させることができる。
【図面の簡単な説明】
【００１２】
【図１】本発明の実施例に係るスクリュー圧縮機の全体構成を示す縦断面図である。
【図２】図１のＡ−Ａ矢視断面図である。
【図３】ガス通路４ｂが設けられていない場合の吸入ポート６前の第２巻線部２０ｂを拡大した断面図である。
【図４】ガス通路４ｂが設けられており突出部３０が設けられていない場合の吸入ポート６前の第２巻線部２０ｂを拡大した断面図である。
【図５】実施例の吸入ポート６前の第２巻線部２０ｂを拡大した断面図である。
【図６】図５のＢ−Ｂ矢視断面図である。
【図７】突出部３０形状の第１例を示す要部拡大図である。
【図８】突出部３０形状の第２例を示す要部拡大図である。
【図９】突出部３０形状の第３例を示す要部拡大図である。
【発明を実施するための形態】
【００１３】
以下、本発明のスクリュー圧縮機の実施例を、図面を用いて説明する。なお、各図において、同一符号を付した部分は同一或いは相当する部分を示している。
【００１４】
以下、実施例のスクリュー圧縮機の全体構成を説明する。
【００１５】
図１は、本発明の実施例に係るスクリュー圧縮機の全体構成を示す縦断面図である。
【００１６】
本実施例に係るスクリュー圧縮機１００は、密閉形のツインスクリュー圧縮機である。
【００１７】
スクリュー圧縮機１００において、モータケーシング１、メインケーシング２及び吐出ケーシング３は、互いに密封関係に接続され、ケーシングを構成している。なお、ケーシングは鋳物で形成されている。
【００１８】
モータケーシング１には、圧縮機構部を駆動させるための駆動用電動機４が収納されている。この駆動用電動機４は、モータケーシング１内に固定された固定子２０と、この固定子２０の内側に回転自在に設けられた回転子２１とを備えている。
【００１９】
固定子２０から上流側には、巻線のうち第１巻線部２０ａ（コイルエンド）が突出している。固定子２０から下流側には、巻線のうち第２巻線部２０ｂ（コイルエンド）が突出している。本実施例において、第１巻線部２０ａの径及び第２巻線部２０ｂの径の夫々は、固定子２０の径より小さい。第１巻線部２０ａ及び第２巻線部２０ｂの夫々は、固定子２０に接する部分である頸部を有する。頸部の径は、第１巻線部２０ａ及び第２巻線部２０ｂの他の部分の径より小さい。
【００２０】
モータケーシング１の端部には、吸入口１８が設けられている。この吸入口１８には、異物を捕集するストレーナ１９が取り付けられている。このストレーナ１９は、固定フランジ６５とモータケーシング１に挟まれて固定されている。また、固定フランジ６５には、冷凍サイクルを循環する冷媒を吸入するための吸入配管が接続されている。
【００２１】
メインケーシング２には、円筒状ボア５と、この円筒状ボア５に冷媒ガスを導入するための吸入ポート６とが形成されている。また、雄ロータ１１の吸込側軸部は、モータケーシング１に配設されたころ軸受７（低圧側軸受）で支持される。雄ロータ１１の吐出側軸部は、吐出ケーシング３に配設されたころ軸受８及び玉軸受９（高圧側軸受）で支持される。また、雄ロータ１１に平行に配置された雌ロータ（図示せず）の吸込側軸部は、モータケーシング１に配設されたころ軸受（図示せず）で支持される。雌ロータの軸は、雄ロータ１１の軸に対し、この図の断面の垂直方向に位置する。雌ロータの吐出側軸部は、吐出ケーシング３に配設されたころ軸受及び玉軸受（図示せず）で支持される。雄ロータ１１と雌ロータは、互いに噛み合い、メインケーシング２により回転可能に支持され収納される。雄ロータ１１と雌ロータにより、互いに噛み合う雄・雌一対のスクリューロータが構成されている。このスクリューロータと、メインケーシング２に形成された円筒状ボア５などにより、圧縮機構部が構成されている。スクリューロータに対して冷媒ガスの上流側を低圧側と呼び、下流側を高圧側と呼ぶ。
【００２２】
雄ロータ１１の軸は、低圧側で駆動用電動機４の回転子２１に直結されている。また、メインケーシング２の側面には、油分離器１２が一体に形成されている。圧縮機構部で圧縮された冷媒ガスと油は、油分離器１２に入って分離される。分離された油は、油分離器１２下部に形成された油溜め１４に溜められる。吐出ケーシング３には、ころ軸受８及び玉軸受９が収納される。また吐出ケーシング３には、油分離器１２に連通する冷媒ガスの吐出通路（図示せず）が形成されている。この吐出ケーシング３は、ボルトによってメインケーシング２に固定されている。また、吐出ケーシング３内には、ころ軸受８及び玉軸受９を収納する軸受室１６が形成されている。更に軸受室１６を閉止する遮蔽板１７が吐出ケーシング３の終端部に取り付けられている。
【００２３】
スクリュー圧縮機１００には、スライド弁２６、ロッド２７、油圧ピストン２８及びコイルばね２９などにより構成される容量制御機構部が設けられている。スライド弁２６は、メインケーシング２内に形成された凹部２ａ内に、軸方向に往復動自在に収納されている。このスライド弁２６の位置を移動させることにより、雄ロータ１１と雌ロータとの噛合い部に吸込まれた冷媒ガスの一部を吸入口側へバイパスして、スクリュー圧縮機１００の容量を制御可能にしている。
【００２４】
ロッド２７、油圧ピストン２８及びコイルばね２９は、吐出ケーシング３に収納されている。このうち、油圧ピストン２８及びコイルばね２９は、吐出ケーシング３内に形成されたシリンダ室Ｑ内に収納されている。コイルばね２９は、シリンダ室Ｑに支持され油圧ピストン２８よりもスライド弁２６側に配置されることで、油圧ピストン２８に対し、常にスライド弁２６の反対方向に押圧する力を付与している。
【００２５】
油圧ピストン２８は、シリンダ室Ｑ内に軸方向に摺動可能に収納されている。シリンダ室Ｑ内に油を給排して、油量を調整することにより、油圧ピストン２８を移動させる。この油圧ピストン２８の動作がロッド２７を介してスライド弁２６に伝達されることにより、スライド弁２６の位置が軸方向に移動し、スクリュー圧縮機１００を所定の容量で運転することが可能となる。
【００２６】
なお、図１では、シリンダ室Ｑ内に油を給排して油量を調整するための油圧系統や油圧系統を開閉する電磁弁などの図示を省略している。
【００２７】
次に、スクリュー圧縮機１００における冷媒ガスの流れについて説明する。
【００２８】
吸入口１８からモータケーシング１内に吸入された低温、低圧の冷媒ガスの流れは、ストレーナ１９で異物が捕集された後、駆動用電動機４とモータケーシング１の間に設けられたガス通路４ａ、４ｂ及び駆動用電動機４の固定子２０と回転子２１間のエアギャップ４ｃの流路に分かれる。
【００２９】
ストレーナ１９から駆動用電動機４の上方へ向かう第１ガス流路２３ａは、第１巻線部２０ａを冷却し、駆動用電動機４とモータケーシング１の間に設けられたガス通路４ａを通過した後、第２巻線部２０ｂ直後に設けられた壁に衝突し、第２巻線部２０ｂを冷却しつつ第２巻線部２０ｂの上部から下部に向けて流れ、その後、吸入ポート６に流れる流路である。
【００３０】
ストレーナ１９から駆動用電動機４の下方へ向かう第２ガス流路２３ｂは、第１巻線部２０ａを冷却し、駆動用電動機４とモータケーシング１の間に設けられたガス通路４ｂを通過した後、吸入ポート６に向けて流れる流路である。
【００３１】
また、冷媒ガスは、エアギャップ４ｃを通過することで第１巻線部２０ａ及び第２巻線部２０ｂ内側を冷却する。
【００３２】
図２は、図１のＡ−Ａ矢視断面図である。
【００３３】
この図は、ガス通路４ａ、４ｂ及びエアギャップ４ｃの位置関係及び通路断面積を示している。この図に示されるように、ガス通路４ａが複数の通路であってもよい。ここで、固定子２０の外周を外壁面と呼ぶ。モータケーシング１の内壁面のうち、固定子２０の外壁面に接する部分に、電動機軸方向の溝が形成されている。これにより、ケーシング１は固定子２０を支持すると共に、ガス通路４ａ、４ｂを形成する。
【００３４】
ガス通路４ｂは、電動機軸中心に対して吸入ポート６と同じ下側に設けられている。ガス通路４ｂは、第２巻線部２０ｂ周囲の流れの淀み部に対応して設けられる。複数のガス通路４ａは、固定子２０の外壁面のうち、ガス通路４ｂ以外の位置に設けられる。複数のガス通路４ａの夫々の少なくとも一部は、電動機軸中心に対して吸入ポート６の反対側である上側に位置する。ガス通路４ａ、４ｂが設けられることにより、駆動用電動機４の全体を冷却することができる。なお、吸入ポート６が電動機軸中心に対して下側に設けられていることは、スクリューが電動機軸中心に対して下側から冷媒ガスを吸い込むことを示す。そのため、吸入ポート６の一部が電動機軸中心に対して上側に位置する場合であっても、吸入ポート６のうちスクリュー側の開口が電動機軸中心に対して下側に設けられていれば、吸入ポート６が電動機軸中心に対して下側に設けられている場合に含めることができる。
【００３５】
吸入ポート６が電動機軸中心より下側にある場合、電動機軸中心より上側の巻線が上昇しやすい。そのため、ガス通路４ａをガス通路４ｂよりも広く確保することで、駆動用電動機４の全体を冷却しやすくしている。
【００３６】
なお、ガス通路４ｂが複数の通路であってもよい。第２巻線部２０ｂ周囲において流れの淀みが複数ある場合、ガスを複数の箇所に夫々導く複数の通路が設けられていてもよい。
【００３７】
次に、スクリュー圧縮機１００における油の流れについて説明する。
【００３８】
雄ロータ１１と雌ロータの噛み合い歯面と、メインケーシング２とは、圧縮室（圧縮作動室）を形成する。駆動用電動機４を冷却後の冷媒ガスは、メインケーシング２に形成された吸入ポート６から、圧縮室に吸入される。その後、駆動用電動機４と直結された雄ロータ１１の回転と共に、冷媒ガスは、圧縮室に密閉され、圧縮室の縮小により徐々に圧縮され、高温、高圧の冷媒ガスとなって、油分離器１２内へ吐出される。
【００３９】
上記圧縮時に雄ロータ１１及び雌ロータに作用する圧縮反力の内、ラジアル荷重についてはころ軸受７、８により支持され、スラスト荷重については玉軸受９により支持される。
【００４０】
これらころ軸受７、８、及び玉軸受９の潤滑用の油の供給について説明する。
【００４１】
まず、メインケーシング２の高圧側である油分離器１２の油溜め１４の油は、低圧側との差圧により、低圧側軸受（吸入側軸受；ころ軸受７）を潤滑及び冷却し、吸入ポート６側へ排出される。また、油溜め１４の油は、高圧側軸受（吐出側軸受；ころ軸受８、玉軸受９）を潤滑及び冷却し、吸入ポート６側或いは吸込完了直後の圧縮室などへ排出される。
【００４２】
各軸受潤滑後に排出された油は、圧縮冷媒ガスと共に圧縮室を潤滑しながら流れて、圧縮冷媒ガスと共に吐出され、油分離器１２内へ流入する。この油分離器１２により、油は油分離器１２下部に設けた油溜め１４に再び溜められ、圧縮冷媒ガスは吐出口２２から冷凍サイクルへと送られる。
【００４３】
次に、吸入ポート６前の冷媒ガスの流れと、ガス通路４ｂ及び突出部３０の効果とを詳細に説明する。
【００４４】
図３は、ガス通路４ｂが設けられていない場合の吸入ポート６前の第２巻線部２０ｂを拡大した断面図である。
【００４５】
ガス通路４ｂが設けられていない場合、ガス通路４ａからの冷媒ガスは第２巻線部２０ｂの雄ロータ１１側を通って吸入ポート６へ向かう。これにより、第２巻線部２０ｂの下方の冷媒ガスが淀み、第２巻線部２０ｂの下部が十分に冷却されず発熱する。特に、第２巻線部２０ｂの頸部の下部が発熱する。
【００４６】
図４は、ガス通路４ｂが設けられており突出部３０が設けられていない場合の吸入ポート６前の第２巻線部２０ｂを拡大した断面図である。
【００４７】
この図において、第１ガス流路２３ａは上方から第２巻線部２０ｂを冷却しつつ、吸入ポート６前の空間にて広がり、その後、吸入ポート６へ向かって流れる。第２ガス流路２３ｂは第２巻線部２０ｂの下を通過し、吸入ポート６前の空間にて広がり、吸入ポート６へ向かう。ガス通路４ｂが設けられることにより、前述の第２巻線部２０ｂの下方の淀みは解消される。しかし、第２巻線部２０ｂの径が固定子２０の径より小さく、第２巻線部２０ｂの下で第２ガス流路２３ｂが広がるため、第２巻線部２０ｂの下部の冷却の効果は小さい。
【００４８】
図５は、実施例の吸入ポート６前の第２巻線部２０ｂを拡大した断面図である。
【００４９】
本実施例においても第１ガス流路２３ａは、同様の流れである。
【００５０】
本実施例の突出部３０は、モータケーシング１の内壁面のうち、第２巻線部２０ｂに対向する位置に設けられている。突出部３０は、スロープ３０ａ、曲面３０ｂ、スロープ３０ｃを含む。突出部３０の上流側にはスロープ３０ａが設けられており、これにより、第２ガス流路２３ｂは、第２巻線部２０ｂに沿う。また、スロープ３０ａが設けられていない場合に比べて、第２巻線部２０ｂの表面を流れる冷媒ガスの流量が大きくなり、第２巻線部２０ｂの下部の冷却の効果が大きくなる。
【００５１】
ここで、突出部３０の上流側に設けられたスロープ３０ａの角度は、１〜９０度の範囲で変更可能である。これにより、第２巻線部２０ｂ表面近傍で生じている流れの淀み部に向けて冷媒ガスを流すことが出来る。
【００５２】
更に、スロープ３０ａ終端から第２巻線部２０ｂと同心円となる曲面３０ｂを設けることにより、スロープ３０ａを流出した冷媒ガスの流れを第２巻線部２０ｂに沿って流すことができる。これにより、流れ２３ｂの流速を維持しつつ、曲面３０ｂに対向する第２巻線部の表面を効果的に冷却することができる。
【００５３】
曲面３０ｂの高さは、第２巻線部２０ｂとの絶縁距離が確保できる範囲で冷媒ガスの流れに応じて変更可能である。
【００５４】
また、駆動用電動機４の径方向におけるモータケーシング１の内壁面から固定子２０の外壁面までの距離を、ガス通路４ｂの高さとし、突出部３０の曲面３０ｂと第２巻線部２０ｂの間の最小距離をガス通路４ｂの高さより小さくすると、曲面３０ｂと第２巻線部２０ｂの間の冷媒ガスの流速は増加するため、圧力損失は増加するものの、第２巻線部２０ｂの下部の冷却の効果が大きくなる。ここで、曲面３０ｂと第２巻線部２０ｂの間の距離は、絶縁距離以上で、絶縁距離に近いことが望ましい。
【００５５】
第２ガス流路２３ｂにおいて、突出部３０の終端は、第２巻線部２０ｂの終端より上流側に位置し、曲面３０ｂ終端から突出部終端間を緩やかなスロープ３０ｃ状にすることが望ましい。これにより、第２巻線部２０ｂの終端における圧力損失を抑えることができる。
【００５６】
図６は、図５のＢ−Ｂ矢視断面図である。
【００５７】
もし、突出部３０の円周方向の長さが、ガス通路４ｂの流出口の円周方向の長さ以下である場合、ガス通路４ｂから流出した冷媒ガスが突出部３０の円周方向外側へ流れることで、第２巻線部２０ｂに沿う流量が減少する。円周方向において、突出部３０の位置の範囲は、ガス通路４ｂの位置の範囲を含む。また、突出部３０の円周方向の長さは、ガス通路４ｂの流出口の円周方向の長さより長いことが望ましい。これにより、ガス通路４ｂから流出した冷媒ガスが突出部３０と第２巻線部２０ｂの間を流れ、第２巻線部２０ｂに沿う流量を確保することができる。
【００５８】
複数のガス通路４ｂが設けられている場合、複数のガス通路４ｂの夫々の下流側に、突出部３０が設けられていてもよいし、一つの突出部３０が複数のガス通路４ｂに亘って設けられていてもよい。これにより、第２巻線部２０ｂの周囲において流れの淀みが複数ある場合であっても、各箇所に沿って冷媒ガスを流すことができる。一つの突出部３０が設けられる場合、駆動用電動機４の円周方向において、突出部３０の位置の範囲は、複数のガス通路４ｂの全体の位置の範囲を含み、複数のガス通路４ｂの全体の位置の範囲より広い。
【００５９】
なお、突出部３０は、ガス通路４ｂの下流側だけでなく、夫々のガス通路４ａの下流側に設けられていてもよい。これにより、第２巻線部２０ｂの外周の広い範囲に亘って、第２巻線部２０ｂに沿う流れを形成することができ、第２巻線部２０ｂ全体の冷却効果を高めることができる。一つの突出部３０がガス通路４ａとガス通路４ｂに亘って設けられていてもよい。
【００６０】
本実施例では、駆動用電動機４の径方向においてモータケーシング１の内壁面からの突出部３０の高さは、円周方向に亘って一定である。突出部３０の高さが円周方向に亘って変化してもよい。これにより、第２巻線部２０ｂの表面の特定の箇所へ、他より多くの冷媒ガスを流すことができる。
【００６１】
突出部３０は、モータケーシング１と一体であってもよいし、モータケーシング１を作成した後に、モータケーシング１に取り付けられてもよい。
【００６２】
以下、突出部３０の形状について説明する。
【００６３】
図７は、突出部３０形状の第１例を示す要部拡大図である。
【００６４】
第１例の突出部３０は、上流側に形成されたスロープと、スロープの下流側に形成された上面とを含む。スロープにおいて、モータケーシング１の内壁面からの距離は、ガス通路４ｂの終端から下流に向かって徐々に増大する。上面において、モータケーシング１の内壁面からの距離は一定である。スロープをゆるやかな傾斜とすることで、第２ガス流路２３ｂを急峻に狭めることなく、第２ガス流路２３ｂを徐々に第２巻線部２０ｂに近づけることができ、突出部３０による圧力損失を低減することができる。
【００６５】
図８は、突出部３０形状の第２例を示す要部拡大図である。
【００６６】
第２例の突出部３０は、上流側に形成された第１曲面と、曲面の下流側に形成された上面と、上面の下流側に形成された第２曲面とを含む。第１曲面と第２曲面の断面を円弧状とすることで、軸方向に短い突出部３０でガスの流れを変更できると共に、エッジ（平面）よりも圧力損失を低減することができる。
【００６７】
図９は、突出部３０形状の第３例を示す要部拡大図である。
【００６８】
第３例の突出部３０の断面は、矩形である。エッジにより、第１例及び第２例に比べて圧力損失が大きくなる。また、既存のモータケーシング１に別部品として突出部３０を取り付ける場合、加工性や固定の観点で簡易に構成することができる。
【００６９】
なお、突出部３０の形状は、第１例〜第３例には限られず、これら以外の形状であっても良い。
【００７０】
以上説明したように、本発明の実施例によれば、冷媒ガスの流れを電動機の巻線に沿った流れとし、巻線温度の上昇を抑えることができる。これにより、冷媒ガスの流速を低下させた場合でも、電動機全体を冷却することができる。即ち、吸入圧力損失を低減させて圧縮機性能の向上を図ることができると共に、信頼性を確保できる。
【００７１】
本実施例では、雄ロータ１１の軸と雌ロータの軸が水平方向の仮想平面内に配列され、仮想平面の下側に吸入ポート６が設けられている。この場合、雄ロータ１１と雌ロータは、仮想平面の上側から冷媒ガスを吸入して圧縮し、圧縮された冷媒ガスを仮想平面の下側へ吐出する。この場合、第２ガス通路４ｂ、突出部３０は、仮想平面の下側に設けられる。
【００７２】
なお、雄ロータ１１の軸と雌ロータの軸が水平方向の仮想平面内に配列され、仮想平面の上側に吸入ポート６が設けられている場合にも、本発明を適用することができる。この場合、雄ロータ１１と雌ロータは、仮想平面の上側から冷媒ガスを吸入して圧縮し、圧縮された冷媒ガスを仮想平面の下側へ吐出する。この場合、第２ガス通路４ｂ、突出部３０は、仮想平面の上側に設けられる。また、雄ロータ１１の軸と雌ロータの軸が鉛直方向の仮想平面内に配列され、仮想平面の特定側（一方側）に吸入ポート６が設けられている場合にも、本発明を適用することができる。この場合、雄ロータ１１と雌ロータは、仮想平面の特定側から冷媒ガスを吸入して圧縮し、圧縮された冷媒ガスを仮想平面の反対側へ吐出する。この場合、第２ガス通路４ｂ、突出部３０は、仮想平面の特定側に設けられる。
【００７３】
本発明は、密閉型のツインスクリュー圧縮機に限定されるものではなく、半密閉型のものにも適用可能である。また、シングルスクリュー圧縮機等、他のスクリュー圧縮機であっても、冷媒ガスの流路において電動機の下流にスクリューロータが設けられ、冷媒ガスが電動機の軸に対して特定の方向からスクリューロータに吸入されるものであれば、本発明を適用可能である。このようなスクリュー圧縮機は、空気調和機、チラーユニット、冷凍機などに使用されることができる。
【００７４】
本発明の表現における用語について説明する。スクリューロータは例えば、雄ロータ１１に対応する。第２スクリューロータは例えば、雌ロータに対応する。ガス通路、第２ガス通路の夫々は例えば、ガス通路４ｂに対応する。反対側ガス通路は例えば、ガス通路４ａに対応する。突出部、第２突出部の夫々は例えば、突出部３０に対応する。コイルエンドは例えば、第２巻線部２０ｂに対応する。外壁部は例えば、固定子２０に対応する。
【００７５】
また、上記した実施例は本発明を分かり易く説明するために詳細に説明したものであり、必ずしも説明した全ての構成を備えるものに限定されるものではない。更に、ある実施例の構成の一部を他の実施例の構成に置換えることが可能であり、また、ある実施例の構成に他の実施例の構成を加えることも可能である。また、各実施例の構成の一部について、他の構成の追加・削除・置換をすることが可能である。
【符号の説明】
【００７６】
１：モータケーシング、２：メインケーシング、２ａ：凹部、
３：吐出ケーシング、
４：駆動用電動機、４ａ、４ｂ：ガス通路、４ｃ：エアギャップ、
５：円筒状ボア、６：吸入ポート、
７：ころ軸受、８：ころ軸受、９：玉軸受、
１１：雄ロータ、１２：油分離器、１４：油溜め、
１６Ａ、１６Ｂ：軸受室、１７：遮蔽板、
１８：吸入口、１９：ストレーナ、
２０：固定子、２０ａ：第１巻線部、２０ｂ：第２巻線部
２１：回転子、２２：吐出口、
２３：冷媒ガス流路、２３ａ：第１ガス流路、２３ｂ：第２ガス流路
２６：スライド弁、２７：ロッド、２８：油圧ピストン、２９：コイルばね、
３０：突出部、３０ａ：スロープ、３０ｂ：曲面、３０ｃ：スロープ
６５：固定フランジ、１００：スクリュー圧縮機。
【図１】
0006445948.tif 000002
【図２】
0006445948.tif 000003
【図３】
0006445948.tif 000004
【図４】
0006445948.tif 000005
【図５】
0006445948.tif 000006
【図６】
0006445948.tif 000007
【図７】
0006445948.tif 000008
【図８】
0006445948.tif 000009
【図９】
0006445948.tif 000010